(57)【要約】【課題】現像装置の稼働停止経過中における蒸発量を、稼働停止経過中に液温や環境温度の測定を必要とせずに、より正確に決定する補水制御技術を提供する。【解決手段】投入された感光材料を現像処理するための現像部に、複数の処理タンク２１と前記処理タンクに供給する水を貯えている補水タンク２３とを備えている現像装置のための補水制御方法。現像装置の稼働停止時の処理液温度及び稼働再開時の処理液温度から決定される。現像装置の稼働停止経過中の処理液の経時的な液温変化率に応じて規定されている時間当たりの予測蒸発量を決定する。さらに、決定された予測蒸発量と稼働停止経過時間とに基づいて前記処理タンクに対する補水量を決定する。【選択図】図１０
2009186819.tif 000002
【特許請求の範囲】
【請求項１】
投入された感光材料を現像処理するための現像部に、複数の処理タンクと前記処理タンクに供給する水を貯えている補水タンクとを備えている現像装置のための補水制御方法において、
前記現像装置の稼働停止時の処理液温度及び稼働再開時の処理液温度から決定される前記現像装置の稼働停止経過中の処理液の経時的な液温変化率に応じて規定されている、時間当たりの予測蒸発量を決定するステップと、
前記予測蒸発量と稼働停止経過時間とに基づいて前記処理タンクに対する補水量を決定するステップと、
からなる補水制御方法。
【請求項２】
稼働停止経過時間をパラメータとする前記処理液温度のための液温変化関数が予め設定されており、かつ
前記現像装置の稼働停止時の処理液温度及び稼働再開時の処理液温度から、前記稼働停止経過中の処理液の液温変化率が求められる請求項１に記載の補水制御方法。
【請求項３】
稼働停止経過時間をパラメータとする処理液温度と環境温度との温度差のための温度差関数が予め設定されており、かつ
前記温度差関数に前記現像装置の稼働停止時の処理液温度及び稼働再開時の処理液温度を適用するとともに、前記現像装置の稼働停止時の環境温度及び稼働再開時の環境温度から導かれる環境温度変化を導入することにより前記処理液の稼働停止経過時の液温変化曲線が決定され、当該液温変化曲線から前記稼働停止経過中の処理液の温度変化率が求められる請求項１に記載の補水制御方法。
【請求項４】
投入された感光材料を現像処理するための現像部に、複数の処理タンクと前記処理タンクに供給する水を貯えている補水タンクとを備えている現像装置のための補水制御装置において、
前記処理液の稼働停止経過時の稼働停止経過時間と液温変化との関係を設定している液温変化関数テーブルと、
前記現像装置の稼働停止時の処理液温度を記憶する装置停止時液温記憶部と、
前記液温変化テーブルを用いて、前記稼働停止時の処理液温度と稼働再開時の処理液温度とから得られる前記処理液の稼働停止経過時の経時的な液温変化率に応じて規定されている、稼働停止経過中の時間当たりの予測蒸発量を決定する予測蒸発量決定部と、
前記予測蒸発量と稼働停止経過時間とに基づいて前記処理タンクに対する補水量を決定する補水量決定部と、
からなる補水制御装置。
【請求項５】
投入された感光材料を現像処理するための現像部に、複数の処理タンクと前記処理タンクに供給する水を貯えている補水タンクとを備えている現像装置のための補水制御装置において、
処理液温度と環境温度との温度差と、稼働停止経過時間との関係を設定している温度差関数テーブルと、
前記現像装置の稼働停止時の処理液温度と環境温度をそれぞれ記憶する装置停止時液温記憶部と装置停止時環境温度記憶部と、
前記現像装置の稼働停止時の環境温度及び稼働再開時の環境温度から環境温度変化を決定する環境温度変化決定部と、
前記温度差関数テーブルと、前記環境温度変化と、前記現像装置の稼働停止時の処理液温度及び稼働再開時の処理液温度とを用いて前記処理液の稼働停止経過時の経時的な液温変化率を決定する液温変化率決定部と、
前記液温変化率に応じて規定されている、稼働停止経過中の時間当たりの予測蒸発量を決定する予測蒸発量決定部と、
前記予測蒸発量と稼働停止経過時間とに基づいて前記処理タンクに対する補水量を決定する補水量決定部と、
からなる補水制御装置。
【発明の詳細な説明】
【技術分野】
【０００１】
本発明は、本発明は、現像装置の処理タンク内の処理液が蒸発して液位が低下したときに処理液に水を補充する補水制御方法、及びその補水制御方法を実施する現像装置に関する。
【背景技術】
【０００２】
写真フィルムや印画紙等の感光材料を処理液の充填された処理タンク内を通過させて自動的に現像処理するようにした現像装置が知られている。このような現像装置では、稼動状態において処理液中の水分が蒸発して液濃度が濃くなったとき、処理タンク内に水を補充して処理液の濃度を適正な値に維持するようになっている。さらに、現像装置における水の蒸発は、稼動停止後から次の稼働再開の間においても不断に生じる。例えば、一日の作業を終えて現像装置を停止し、次の朝に稼動を再開する際には、一定時間以上の稼働停止期間における処理液の蒸発によって停止された後の稼動再開時には液濃度が濃くなってしまう。
【０００３】
このような稼働停止経過後の稼働再開時の問題を回避するため、稼動停止経過時間に関連して設定された設定時間内における処理液の予測蒸発量に見合う量の水を補充するように構成された写真現像機が知られている（例えば、特許文献１参照）。この写真現像機では、写真現像機が稼動停止後に再稼動されるときには、水補充手段が作動し、例えば、稼動停止時間が例えば１２時間であれば、１２時間の間に蒸発する処理液の量を実験等で確認することによって予測できるようにしておき、その予測蒸発量に見合った量の水が補充される。しかしながら、稼動停止経過時間だけで予測蒸発量を決定することは、四季折々の環境によって蒸発量が変動することを考えると、その決定精度を上げることは困難である。そのため、この特許文献１においても、湿度センサを搭載し、これにより測定された湿度と、予め実験的に求めておいた湿度と単位時間当たりの蒸発量との関係とを利用して予測蒸発量を決定することも提案されているが、単にその時の湿度をパラメータに加えただけでは、決定精度の向上に対して限界がある。
【０００４】
また、予め記憶手段に環境湿度及び環境温度と処理液の液温に対応する処理槽からの水分の予測蒸発量を記憶させておき、環境温度、環境湿度及び処理液の液温を測定し、その情報に基づいて処理槽からの水分の蒸発量を予測し、この予測した処理槽からの水分の蒸発量に合わせて処理槽へ給水制御手段が水を供給する現像装置も知られている（例えば、特許文献２参照）。この現像装置では、一定時間毎に処理液の液温と環境温度と環境湿度とを測定して、これらの測定値から決定された蒸発量を積算し、積算した蒸発量が一定値に達すると処理槽へ積算値に応じた水が補給されるので、精度の高い補水が可能である。しかしながら、一定時間毎に各種測定を行わなければならず、一日の作業を終えて現像装置を停止してから、次の朝に稼動を再開するまでの稼働停止経過の間、少なくとも測定系のユニットを動作させておかなければならないという不都合が生じる。
【０００５】
【特許文献１】特開平１１−１４３０４１号公報（段落番号０００５−０００７、００６３）
【特許文献２】特開平９ー９０５８７号公報（段落番号０００８、００５９−００６４）
【発明の開示】
【発明が解決しようとする課題】
【０００６】
上記実状に鑑み、本発明の課題は、現像装置の稼働停止経過中における蒸発量を、稼働停止経過中に液温や環境温度の測定を必要とせずに、より正確に決定する補水制御技術を提供することである。
【課題を解決するための手段】
【０００７】
投入された感光材料を現像処理するための現像部に、複数の処理タンクと前記処理タンクに供給する水を貯えている補水タンクとを備えている現像装置のための補水制御方法において、上記課題を解決するため本発明による方法は、前記現像装置の稼働停止時の処理液温度及び稼働再開時の処理液温度から決定される前記現像装置の稼働停止経過中の処理液の液温変化率に応じて規定されている、時間当たりの予測蒸発量を決定するステップと、前記予測蒸発量と稼働停止経過時間とに基づいて前記処理タンクに対する補水量を決定するステップとからなる。
【０００８】
この構成によれば、現像装置の稼働停止時の処理液温度と稼働再開時の処理液温度に基づいて、稼働停止から稼働再開に至る現像装置の稼働停止経過中の処理液の経時的な液温変化率が決定され、その液温変化率に応じて規定されている時間当たりの予測蒸発量が決定される。時間当たりの予測蒸発量が決定されると、この予測蒸発量に稼働停止経過時間をかけることで補水対象となっている処理タンクに対する補水量が決まる。つまり、この方法では、稼働停止経過中の処理温度や周囲温度などいっさい測定することなしで、稼働停止時の処理液温度と稼働再開時の処理液温度とだけで、経時的な液温変化率を決定し、さらにその経時的な液温変化率に応じて時間当たりの予測蒸発量を決定する。従って、従来に比べ簡単な測定系しか必要とせず、また稼働停止経過中は現像装置を完全停止させることができる。さらに、液温変化率と時間当たりの蒸発量を関係づけているので、単に処理液温度と時間当たりの蒸発量を関係づけて補水量を算定する手法に比べて、その算定精度を向上させることができる。
【０００９】
本発明の好適な実施形態の１つでは、稼働停止経過時間をパラメータとする前記処理液温度のための液温変化関数が予め設定されており、かつ前記現像装置の稼働停止時の処理液温度及び稼働再開時の処理液温度とから、前記稼働停止経過中の処理液の経時的な液温変化率が求められる。つまり、予め実験的かつ統計的に稼働停止経過時間をパラメータとする前記処理液温度の変化を求めておき、液温変化関数として関数化（テーブル化）しておく。現像装置の再開時には、稼働停止時の処理液温度及び稼働再開時の処理液温度を液温変化関数に当てはめることで、稼働停止経過中の処理液の経時的な液温変化率を得ることができる。統計的に誤差の少ない液温変化関数を求めておくことで、実際と誤差の少ない液温変化率が得られ、結果的に良好な精度をもって補水量を算定することができる。
【００１０】
もちろん、処理液の蒸発は周囲の環境温度とも密接な関係があることがわかっている。従って、現像装置の稼働停止経過中の環境温度が大きく変動するような場所に現像装置が設置されている場合には、稼働停止経過中の環境温度も処理液の経時的な液温変化率に影響を与える。そのような影響を抑制するために、本発明の好適な実施形態の１つでは、稼働停止経過時間をパラメータとする処理液温度と環境温度との温度差のための温度差関数が予め設定されており、かつ前記温度差関数に前記現像装置の稼働停止時の処理液温度及び稼働再開時の処理液温度を適用するとともに、前記現像装置の稼働停止時の環境温度及び稼働再開時の環境温度から導かれる環境温度変化を導入することにより前記処理液の稼働停止経過時の液温変化曲線が決定され、当該液温変化曲線から前記稼働停止経過中の処理液の温度変化率が求められる。つまり、例えば実験的かつ統計的に稼働停止経過時間をパラメータとする処理液温度と環境温度との温度差のための温度差関数を関数化（テーブル化）しておく。現像装置の再開時には、稼働停止時の環境温度及び稼働再開時の環境温度から導かれる環境温度変化によって温度差関数から稼働停止経過中の処理液の温度変化率を求める。これにより、稼働停止経過中の環境温度の変化を考慮でき、稼働停止経過中の環境温度が大きく変動する場合であっても、実際と誤差の少ない液温変化率が得られ、結果的に良好な精度をもって補水量を算定することができる。
【００１１】
投入された感光材料を現像処理するための現像部に、複数の処理タンクと前記処理タンクに供給する水を貯えている補水タンクとを備えている現像装置のための補水制御装置において、上記課題を解決するため本発明による装置は、前記処理液の稼働停止経過時の稼働停止経過時間と液温変化との関係を設定している液温変化関数テーブルと、前記現像装置の稼働停止時の処理液温度を記憶する装置停止時液温記憶部と、前記液温変化テーブルを用いて、前記稼働停止時の処理液温度と稼働再開時の処理液温度とから得られる前記処理液の稼働停止経過時の経時的な液温変化率に応じて規定されている、稼働停止経過中の時間当たりの予測蒸発量を決定する予測蒸発量決定部と、前記予測蒸発量と稼働停止経過時間とに基づいて前記処理タンクに対する補水量を決定する補水量決定部とから構成されている。この構成では、予め実験的かつ統計的に稼働停止経過時間をパラメータとする前記処理液温度の変化を表す液温変化関数がテーブル化され登録設定されている。従って、現像装置の再開時には、稼働停止時の処理液温度及び稼働再開時の処理液温度を液温変化関数に当てはめることで、稼働停止経過中の処理液の経時的な液温変化率を得ることができ、その液温変化率に応じて規定されている時間当たりの予測蒸発量が決定される。時間当たりの予測蒸発量が決定されると、この予測蒸発量に稼働停止経過時間をかけることで補水対象となっている処理タンクに対する補水量が決まる。その際、稼働停止経過中の処理温度や周囲温度などは不必要である。
【００１２】
投入された感光材料を現像処理するための現像部に、複数の処理タンクと前記処理タンクに供給する水を貯えている補水タンクとを備えている現像装置のための補水制御装置において、現像装置の稼働停止経過中の環境温度が処理液の経時的な液温変化率に与える影響を抑制するために、処理液温度と環境温度との温度差と、稼働停止経過時間との関係を設定している温度差関数テーブルと、前記現像装置の稼働停止時の処理液温度と環境温度をそれぞれ記憶する装置停止時液温記憶部と装置停止時環境温度記憶部と、前記現像装置の稼働停止時の環境温度及び稼働再開時の環境温度から環境温度変化を決定する環境温度変化決定部と、前記温度差関数テーブルと、前記環境温度変化と、前記現像装置の稼働停止時の処理液温度及び稼働再開時の処理液温度とを用いて前記処理液の稼働停止経過時の経時的な液温変化率を決定する液温変化率決定部と、前記液温変化率に応じて規定されている、稼働停止経過中の時間当たりの予測蒸発量を決定する予測蒸発量決定部と、前記予測蒸発量と稼働停止経過時間とに基づいて前記処理タンクに対する補水量を決定する補水量決定部とから構成される装置が提案される。この補水制御装置では、前記現像装置の稼働停止時の環境温度及び稼働再開時の環境温度から稼働停止経過中の環境温度の変化を考慮した液温変化率を求めるので、稼働停止経過中の環境温度が大きく変動する場合であっても、実際と誤差の少ない液温変化率が得られ、結果的に良好な精度をもって補水量を算定することができる。
【発明を実施するための最良の形態】
【００１３】
まず、本発明による補水制御技術の基本原理Ａを説明する。
この基本原理では、現像装置の稼働停止後の処理液温度ｓの変化が現像装置を設置している場所の環境温度（室温）Ｓと密接な関係があることが注目されている。図１には、現像装置の稼働停止状態における処理液温度ｓと環境温度Ｓとの温度差ΔＳが時間経過とともに変化する挙動を実験的かつ統計的に求めて得られたグラフが示されている。このグラフは、近似式演算を用いることで以下のように、稼働停止経過時間ｔの温度差関数Ｆとして表現することができる。
ΔＳ＝ｓ−Ｓ＝Ｆ（ｔ）
このような稼働停止経過時間ｔに対する処理液温度ｓと環境温度Ｓとの温度差ΔＳの関係は、テーブル化しておくことができる。
【００１４】
次に、現像装置の稼働停止時ｔ1の環境温度Ｓ1と、現像装置の稼働再開時ｔ2の環境温度Ｓ2とから、図２に示すような、稼働停止経過中の環境温度Ｓの変化を示すグラフを作成する。この環境温度変化グラフは実質的には一次式で表しても差し支えない場合、以下に示すように稼働停止経過時間ｔの一次関数である環境温度変化関数Ｇとして表現することができる。
Ｓ＝Ｇ（ｔ）
【００１５】
さらに、現像装置の稼働停止時ｔ1の処理液温度ｓ1と環境温度Ｓ1、及び現像装置の稼働再開時ｔ2の処理液温度ｓ2と環境温度Ｓ2から、現像装置の稼働停止時ｔ1の温度差ΔＳ1と現像装置の稼働再開時ｔ2の温度差ΔＳ2を決定する。
ΔＳ1＝ｓ1−Ｓ1
ΔＳ2＝ｓ2−Ｓ2
【００１６】
稼働停止時温度差ΔＳ1と稼働再開時温度差ΔＳ2を前述した関数Ｆに当てはめると、図３（ａ）で示すように、温度差ΔＳ1と温度差ΔＳ2とによって規定される温度差曲線セグメントＦ1-2（ｔ）を取り出すことができる。さらに、図３（ｂ）に示すように、この温度差曲線セグメントＦ1-2（ｔ）を、環境温度変化関数Ｇで規定される環境温度変化グラフの上に区間ｔ1とｔ2に適合するように展開する。ここで、環境温度変化関数Ｇ（ｔ）とＦ1-2（ｔ）とを加算すると、図３（ｃ）で示されるような、液温変化曲線を規定する液温変化関数Ｈ（ｔ）が生成される。
Ｈ（ｔ）＝Ｓ＋ΔＳ＝Ｇ（ｔ）＋Ｆ1-2（ｔ）
この液温変化関数Ｈ（ｔ）は、現像装置の稼働停止時ｔ1から現像装置の稼働再開時ｔ2までの稼働停止経過時間間隔Ｔにおける、処理液温度の変化挙動を示している。この液温変化関数Ｈ（ｔ）で規定される液温変化曲線の変化率（微分値）αを演算し、この変化率αを所定の変化率しきい値と比較して、液温変化曲線を１つ以上の区間に区分けする。図４に示された例では、４つの変化率しきい値α1、α2、α3、α4を用いて、４つの稼働停止経過時間区域ｄＴ1、ｄＴ2、ｄＴ3、ｄＴ4に区分けされている。さらに、この４つの区域に対して、変化率が大きいほど大きくなるように単位時間当たりの蒸発量λ1、λ2、λ3、λ4が割り与えられる。このように、稼働停止経過時間区域毎に単位時間当たりの蒸発量が与えられると、以下の式により、現像装置の稼働停止時ｔ1から現像装置の稼働再開時ｔ2までの稼働停止経過時間間隔Ｔにおける蒸発量Ｚ、つまり補水量を決定することができる。
Ｚ＝λ1×ｄＴ1＋λ2×ｄＴ2＋λ3×ｄＴ3＋λ4×ｄＴ4
従って、現像装置の稼働停止経過中における蒸発量を、稼働停止経過中に液温や環境温度の測定を必要とせずに、現像装置の稼働停止時の処理液温度と環境温度、及び現像装置の稼働再開時の処理液温度と環境温度から決定することができる。
【００１７】
上述した基本原理Ａはさらに簡単化することが可能である。この簡単化された基本原理Ｂでは、現像装置の稼働停止経過中における蒸発量は現像装置の稼働停止時の処理液温度及び現像装置の稼働再開時の処理液温度だけから決定される。そのために、処理液温度ｓのための稼働停止経過時間ｔをパラメータとする、前記液温変化関数Ｈ（ｔ）に類似した液温変化関数Ｋ（ｔ）を予め実験的かつ統計的に求めておく。さらに、図５で示されているように、その液温変化関数Ｋ（ｔ）で規定される液温変化曲線の変化率αを演算し、この変化率αを所定の変化率しきい値と比較して、上述した基本原理と同様に、液温変化曲線を１つ以上の区間に区分けし、例えば４つに区分けし、それぞれ区域に対して、変化率が大きいほど大きくなるように単位時間当たりの蒸発量λ1、λ2、λ3、λ4を割り与えておく。現像装置の稼働停止時ｔ1の処理液温度ｓ1によって液温変化曲線上に点Ｐ1が定められ、現像装置の稼働再開時ｔ2の処理液温度ｓ2によって液温変化曲線上に点Ｐ2が定められる。この２つの点Ｐ1とＰ2とによって規定される時間間隔ｒが求められるとともに、さらにその時間間隔ｒは変化率αによって区分けされた領域別にサブ時間間隔ｒ1、ｒ2、ｒ3が求められる。時間間隔ｒは、現像装置の稼働停止時ｔ1から現像装置の稼働再開時ｔ2までの実際の稼働停止経過時間間隔Ｔとは一致しない可能性があるので、その補正のため、稼働停止経過時間間隔Ｔと時間間隔ｒとの比を用いる。つまり、現像装置の稼働停止時ｔ1から現像装置の稼働再開時ｔ2までの稼働停止経過時間間隔Ｔにおける蒸発量Ｚ、つまり補水量は以下の式により決定することができる。
Ｚ＝（ｒ1／ｒ）×Ｔ×λ1＋（ｒ2／ｒ）×Ｔ×λ2＋（ｒ3／ｒ）×Ｔ×λ3
従って、この簡単化された基本原理Ｂでは、現像装置の稼働停止時の処理液温度及び稼働再開時の処理液温度とから、稼働停止経過中の処理液の液温変化率が求められ、その液温変化率に基づいて決定される時間当たりの予測蒸発量と稼働停止経過時間とに基づいて蒸発量つまり補水量が決定される。
【００１８】
次に、上述した補水制御の基本原理を採用した補水制御装置を搭載している現像装置を説明する。
図６には、現像装置の一例としてのフィルム現像装置の外観が示されており、図７にはその内部断面が示されている。このフィルム現像装置は短い横幅に比べて長い奥行きと高さをもったほぼ直方体のハウジング１０内に写真フィルム（以下単にフィルムと略称する）の現像に必要な構成要素が納められている。
【００１９】
現像装置正面の上部コーナ部には表示パネル１１とフィルム挿入部１へのアクセスを許す揺動式の挿入部カバー１２が設けられている。さらに、装置の上部にはアーチ状のダクトが設けられているが、このダクトが現像され排出されたフィルムを一時保管するフィルム保管部４として機能している。
【００２０】
図７から明らかなように、フィルム現像装置のハウジング１０内部には、先端にリーダシートを連結したフィルムＦを装填するフィルム挿入部１と、フィルム挿入部１から繰り出されるフィルムＦを現像処理するフィルム現像部２と、現像処理後のフィルムＦを乾燥するためにドライヤー３０を収納しているフィルム乾燥部３と、フィルムＦをフィルム挿入部１からフィルム現像部２やフィルム乾燥部３へ搬送する搬送機構５と、このフィルム現像装置の補水制御装置６０を含む制御ユニット６を備えており、フィルム乾燥部３で乾燥されて排出されたフィルムＦはフィルム保管部４に一時的に保管され、適時に取り出される。
【００２１】
図７に示されているように、フィルム挿入部１には、挿入時のリーダシートの案内を行うガイド１ａと、導入搬送ローラユニット５ａと、フィルム収納ケースから引き出し終えたフィルムＦの後端を必要に応じて切断するフィルムカッタ１ｂと、挿入されてきたリーダシートのスプロケット孔に回転係入するフリー回転式のチェック用スプロケット１ｃが備えられている。このチェック用スプロケット１ｃの歯先は正しい表裏姿勢で挿入されたリーダシートのスプロケット孔に係入するように構成されており、誤った表裏姿勢でのリーダシートの挿入を防止している。先導役としてのリーダシートがフィルム挿入部１に挿入された後、フィルムＦの収納ケースはフィルム受け部１ｄに受け持たせ、揺動カバー１２を閉じて、フィルム挿入部１の遮光状態を作り出す。
【００２２】
チェック用スプロケット１ｃを通過したリーダシートは、導入搬送ローラユニット５ａに挟持された状態で搬送され、フィルム現像部２に送り込まれる。図７で模式的に示されているように、フィルム現像部２には、その上部領域にタンクユニット２０が配置され、その下部領域に各処理液のための４つの補充容器からなる補充容器セット４０が配置され、タンクユニット２０と補充容器セット４０の間に各種ポンプの横並びで構成されるポンプセット５０が配置されている。ハウジング１０内の正面領域には、前述したように、フィルム挿入部１と制御部６が上下配置されおり、フィルム乾燥部３がフィルム現像部２の背面側に配置されているので、ハウジング１の横幅が短くなっており、結果的にフィルム現像装置の設置面積も小さくなり、省スペース化に貢献している。
【００２３】
タンクユニット２０は、相互に組み付けされる２つの樹脂成型部材、タンク本体２０Ａとタンクカバー体２０Ｂとから構成されている。図７と図８から明らかなように、タンク本体２０Ａには、現像、漂白、定着等の現像処理を順次行うため複数種類の処理液が各別に収容される７つのサブタンク２２付きの処理タンク２１と、処理タンク２１の終端に（フィルム乾燥部３に近い側）配置された処理液希釈用水を貯蔵する補水タンク２３と、処理タンク２１と補水タンク２３に沿って配置された廃液タンク２４が作り出されている。
【００２４】
なお、図７から理解できるように、タンクユニット２０には、タンクユニット２０にはリーダシートに先導されたフィルムＦを各処理タンク２１の領域で上下往復（蛇行）搬送するためにラックユニット７が装着される。このラックユニット７は処理液中に沈められる下部ラック７Ａと下部ラックの上方に配置されるとともにフィルムＦの処理タンク２１から処理タンク２１への移行をガイドする上部ラック７Ｂとから構成されている。下部ラック７Ａには、フィルムＦをガイド搬送する複数のローラ対や最下部でのフィルムＦの反転搬送を行う駆動ローラ及びリーダシートを搬送するための駆動スプロケットが設けられているが、それ自体はよく知られているのでここでの説明は省略される。
【００２５】
各処理タンク２１は、収容する処理液の種類によりこの実施形態では、発色現像（ＣＤ）用処理タンク２１ａ、漂白（ＢＬ）用処理タンク２１ｂ、２つの定着（ＦＩＸ）用処理タンク２１ｃ、３つの安定（ＳＴＢ）用処理タンク２１ｄに区分けされるが、実質的に同一な構成とみなすことができるので、特別に区別する場合を除いてそれらの総称として処理タンク２１なる語句が用いられている。また、同一現像用処理液を収容している処理タンクの個数は現像仕様により異なり、種々のものを採用することができる。
【００２６】
サブタンク２２は処理タンク２１の一部として形成されており、補充される処理液は一旦このサブタンクに入れられたのち、処理タンク２１のフィルム通過領域に流れるように互いに連通している。廃液タンク２４は処理液タンク２１の側壁に隣接して形成されており、処理液タンク２１に収容されている処理液毎に区分け壁２４ａによって４つに区分けされており、廃液処理をし易くしている。同一の処理液のために複数の処理タンクが用意されている場合には、ここでは、定着用処理タンク２１ｃと安定用処理タンク２１ｄに関しては、それぞれカスケード接続されており、最終的な処理タンク２１から廃液タンク２４に排出されるように構成されている。
【００２７】
タンクカバー体２０Ｂは、サブタンク２２の上面をカバーするプレート状領域と処理タンク２１内へ挿入されるラックユニット７を位置決め支持する枠状領域を備えている。タンク本体２０Ａは上面が完全開放された容器状形態であり、タンクカバー体２０Ｂはプレートに矩形枠を接続した形態であるので、どちらも成型品として製造することができる。
【００２８】
図９の模式図に示されているように、処理タンク２１とサブタンク２２とは上部で互いに連通しているとともにそれぞれの底部は循環路５１ａによって連通されている。この循環路５１ａには循環ポンプ５１が設けられている。循環ポンプ５１はサブタンク２２内の処理液を循環路５１ａから処理タンク２１内に送り込むように作動する。これにより、処理タンク２１からサブタンク２２に流れた処理液がサブタンク２２の底部から循環路５１ａを通って再び処理タンク２１の底部に流れ、図９の矢印で示すような処理タンク２１のための循環流が生じる。サブタンク２２の内部には、フィルタ２５が組み込まれ、そのフィルタ２５を通過した濾過後の処理液は、フィルタ２５を貫通するパイプ２５ａのスリットからパイプ２５ａ内に流れて循環路５１ａに至る。又、サブタンク２２には、処理液を加熱するヒータ２６と、処理液の温度を検出する温度センサ２７などが組み込まれ、その温度センサ２７の検出信号に基づいてヒータ２６の動作が制御される。処理液の補充により処理タンク２１からオーバーフローした処理液は、廃液として廃液タンク２４に回収される。
【００２９】
なお、上述したように、処理タンク２１としての発色現像用処理タンク２１ａと漂白用処理タンク２１ｂと定着用処理タンク２１ｃと安定用処理タンク２１ｄにはそれぞれ異なる処理液つまり異なる補充液を供給する必要があるので、異なる処理液を調整補充するための４つの補充容器４０が備えられている。補充容器４０と処理タンク２１のサブタンク２２とが補充流路５２ａで接続されており、補充流路５２ａには補充容器４０から補充液をサブタンク２２へ送り出す補充ポンプ５２が介装されている。補充ポンプ５２はベローズポンプとして構成されており、ベローズの１回の拡縮にともなう容積差によって所定量の補充液が補充容器４０からサブタンク２２の液面に送り出される。
【００３０】
なお、図８において模式的に示されているように、処理タンク２１とともにタンクユニット２０に一体形成されている補水タンク２３と各サブタンク２２とが補水流路５３ａで接続されており、補水流路５３ａには補水タンク２３から希釈水をサブタンク２２へ送り出す補水ポンプ５３が介装されている。７個全ての処理タンク２１に水を供給するために、補水タンク２３の底壁には７つの給水口が設けられており、この給水口に各サブタンク２２に通じる補水流路５３ａが接続されている。
【００３１】
制御ユニット６には、補水タンク２３から処理タンク２１に水を供給する補水ポンプ５３を制御する補水制御装置６０が組み込まれている。この補水制御装置６０として、稼働停止を経て稼働再開した際の補水制御を実質的に上述した基本原理Ａに基づいて動作するように構成された装置の機能ブロック図が図１０に示されている。この実施の形態では、処理タンク２１外の環境温度、例えば室温等を測定する環境温度センサ２８が備えられており、補水制御装置６０に接続されている。
【００３２】
この補水制御装置６０が実現する機能は、実質的にはプログラムによって実現されるが、本発明に特に関係するものとして、補水管理部６１、センサ管理部６２、温度差関数テーブル６３、装置停止時環境温度記憶部６４、装置停止時液温記憶部６５、環境温度変化決定部６６、液温変化率決定部６８、補水量決定部６９、ポンプ制御部７０が挙げられる。補水管理部６１は、補水に関する全体的な制御の流れを管理する。センサ管理部６２は、処理タンク２１中の処理液の温度を測定する温度センサ２７と処理タンク２１外の環境温度を測定する環境温度センサ２８からの測定信号を処理して、処理液温度及び環境温度に関するデータを生成する。
【００３３】
温度差関数テーブル６３は、処理液温度と環境温度との温度差と稼働停止経過時間との関係を登録設定している。具体的には、図１を用いて説明された、稼働停止経過時間に対する処理液温度と環境温度との温度差の関係を表す温度差関数Ｆがテーブル化されたものである。
【００３４】
装置停止時環境温度記憶部６４は、例えば１日の作業を終えて現像装置の稼働停止させた際に、その稼働停止直前の環境温度（室温）を環境温度センサ２８を通じて検出することで得られた環境温度データをセンサ管理部６２から受け取って一時的に格納する。同様に装置停止時液温記憶部６５は、現像装置の稼働停止させた際に、その稼働停止直前の処理タンク２１の処理液温度を温度センサ２７を通じて検出することで得られた環境温度データをセンサ管理部６２から受け取って一時的に格納する。
【００３５】
環境温度変化決定部６６は、装置停止時環境温度記憶部６４に格納されている稼働停止時の環境温度と、稼働再開時にセンサ管理部６２から受け取る稼働再開時の環境温度からこの現像装置が稼働停止経過している間の環境温度変化を決定する。具体的には、図２を用いて説明された、稼働停止経過時間と環境温度との関数である環境温度変化関数Ｇを求める。なお、環境温度変化関数Ｇは一次関数が演算処理上好都合であるが、二次関数やその他の関数を用いてもよい。
【００３６】
液温変化率決定部６７は、稼働停止時の処理液温度と稼働再開時の処理液温度とを用いて温度差関数テーブル６２から読み出された温度差関数と、環境温度変化決定部６６によって決定された環境温度変化とを用いて現像装置が稼働停止経過している間の液温変化率を決定する。具体的には、まず、図３に示すように、処理液の稼働停止時温度差ΔＳ1と稼働再開時温度差ΔＳ2を用いて、温度差関数テーブル６３から、温度差ΔＳ1と温度差ΔＳ2とによって規定される温度差曲線セグメントＦ1-2（ｔ）を読み出し、環境温度変化決定部６６によって求められた環境温度変化関数Ｇ（ｔ）に適合させ、環境温度変化関数Ｇ（ｔ）と温度差曲線セグメントＦ1-2（ｔ）とを加算することによって、液温変化関数Ｈ（ｔ）を生成する。この液温変化関数Ｈ（ｔ）の傾き（微分値）が、現像装置が稼働停止経過している間の処理液の液温変化率となる。
【００３７】
予測蒸発量決定部６８は、液温変化率決定部６７によって決定された現像装置が稼働停止経過している間の処理液の液温変化率に基づいて稼働停止経過中の時間当たりの予測蒸発量を決定する。つまり、変化率しきい値を用いて液温変化関数Ｈ（ｔ）に基づく液温変化曲線を区分けし、各区分けされた区域に時間当たりの予測蒸発量を割り与える。例えば、図４の例では、４つの変化率しきい値α1、α2、α3、α4を用いて、４つの稼働停止経過時間区域ｄＴ1、ｄＴ2、ｄＴ3、ｄＴ4に区分けされており、そのそれぞれの区域に変化率が大きいほど大きくなるように単位時間当たりの蒸発量λ1、λ2、λ3、λ4が割り与えられている。
【００３８】
補水量決定部６９は、予測蒸発量決定部６８によって決定された予測蒸発量と、実際のこの現像装置の稼働停止経過時間とに基づいて処理タンク２１に対する蒸発量を決定し、この蒸発量を補水量として決定する。例えば、決定された予測蒸発量が図４で示されたものとすれば、現像装置の稼働停止時ｔ1から現像装置の稼働再開時ｔ2までの稼働停止経過時間間隔Ｔにおける蒸発量Ｚは、
Ｚ＝λ1×ｄＴ1＋λ2×ｄＴ2＋λ3×ｄＴ3＋λ4×ｄＴ4
となる。この蒸発量Ｚが補水量となる。
【００３９】
このようにして、補水量決定部６９によって補水量が決定されると、ポンプ制御部７０が補水ポンプ５３を制御して、決定された補水量分だけの水を補水タンク２３から処理タンク２１に供給する。以上の説明から明らかなように、この補水制御装置６０によれば、現像装置の稼働停止経過中における蒸発量を、稼働停止経過中に液温や環境温度の測定を必要とせずに、現像装置の稼働停止時の処理液温度と環境温度、及び現像装置の稼働再開時の処理液温度と環境温度から決定することができる。
【００４０】
図１１には、補水制御装置６０の叙述した実施形態とは異なる実施形態で動作する補水制御装置６０の機能ブロック図ｌが示されている。この別実施形態の補水制御装置６０では、装置停止時環境温度記憶部６４、環境温度変化決定部６６、液温変化率決定部６７が省略されており、温度差関数テーブル６３に代えて液温変化関数テーブル６３０が備えられており、実質的に上述した基本原理Ｂに基づいて動作する。
【００４１】
液温変化関数テーブル６３０は、稼働停止経過時の稼働停止経過時間と処理液の液温変化との関係を登録設定している。具体的には、図５に示されているような、予め実験的かつ統計的に求められた液温液温変化関数Ｋ（ｔ）がテーブル化されたものである。この別実施形態では、予測蒸発量決定部６８は、装置停止時液温記憶部６６から読み出された稼働停止時の処理液温度と稼働再開時の処理液温度とによって規定される液温液温変化関数Ｋ（ｔ）の所定部分を液温変化関数テーブル６３０から取り出し、その所定部分の液温変化率を求め、変化率しきい値を用いて所定の稼働停止経過時間区域で時間当たりの予測蒸発量を割り与える。補水量決定部６９は、割り当てられている予測蒸発量と稼働停止経過時間とに基づいて処理タンク２１に対する補水量を決定する。補水量（蒸発量）の具体的な決定手順を図５を用いて説明する。まず、稼働停止時処理液温度ｓ1によって液温変化曲線上に定められた点Ｐ1と稼働再開時処理液温度ｓ2によって液温変化曲線上に定められた点Ｐ2とによって規定される時間間隔ｒが求められる。次いで、その時間間隔ｒは液温変化率によって区分けされた領域別にサブ時間間隔ｒ1、ｒ2、ｒ3が求められる。最後に、現像装置の稼働停止時ｔ1から現像装置の稼働再開時ｔ2までの稼働停止経過時間間隔Ｔにおける蒸発量Ｚ、つまり補水量が次式により求められる。
Ｚ＝（ｒ1／ｒ）×Ｔ×λ1＋（ｒ2／ｒ）×Ｔ×λ2＋（ｒ3／ｒ）×Ｔ×λ3
【００４２】
このようにして、補水量決定部６９によって補水量が決定されると、ポンプ制御部７０が補水ポンプ５３を制御して、決定された補水量分だけの水を補水タンク２３から処理タンク２１に供給する。以上の説明から明らかなように、この補水制御装置６０によれば、現像装置の稼働停止時の処理液温度及び稼働再開時の処理液温度とから、稼働停止経過中の処理液の液温変化率が求められ、その液温変化率に基づいて決定される時間当たりの予測蒸発量と稼働停止経過時間とに基づいて蒸発量つまり補水量が決定される。
【００４３】
なお、この別実施形態の補水制御装置６０において、液温変化率に基づいて割り当てられる予測蒸発量もテーブル化され、液温変化関数テーブル６３０に登録設定することができる。その場合は、予測蒸発量決定部６８も省略することができる。補水量決定部６９がそのように構成された液温変化関数テーブル６３０を用いて、現像装置の稼働停止時の処理液温度及び稼働再開時の処理液温度とから、液温変化率に基づいて決められている予測蒸発量を決定して、補水量を決定することになる。また、液温変化関数テーブル６３０の内容を複数用意し、現像装置の稼働停止時の環境温度又は稼働再開時の環境温度あるいはその両方によって切り換えるような構成を採用してもよい。
【００４４】
上述した実施の形態では現像装置としてフィルム現像装置を取り上げたが、もちろん、写真フィルム以外の感光材料、例えば印画紙などを現像する装置にも本発明は適用することができる。
【図面の簡単な説明】
【００４５】
【図１】本発明による補水制御技術の基本原理を説明するための説明図
【図２】本発明による補水制御技術の基本原理を説明するための説明図
【図３】処理液の液温変化曲線の生成を説明するための説明図
【図４】液温変化曲線の変化率と単位時間当たり蒸発量の関係を説明するための説明図
【図５】液温変化曲線から蒸発量を導く簡単化された基本原理を説明するための説明図
【図６】本発明によるフィルム現像装置の外観を示す斜視図
【図７】フィルム現像装置の具体的構成を示す断面模式図
【図８】補水タンクから処理タンクへの補水流路を示すタンクユニットの平面図
【図９】処理タンクと補充容器及び処理タンクと補水タンクとの間の配管を説明する説明図
【図１０】補水制御装置の１つの実施形態における機能ブロック図
【図１１】補水制御装置の他の実施形態における機能ブロック図
【符号の説明】
【００４６】
２：フィルム現像部（現像部）
６：制御部
２１：処理タンク
２２：サブタンク
２３：補水タンク
２４：廃液タンク
２７：温度センサ
２８：環境温度センサ
５３：補水ポンプ
６０：補水制御装置
６３：温度差関数テーブル
６４：装置停止時環境温度記憶部
６５：装置停止時液温記憶部
６６：環境温度変化決定部
６７：液温変化率決定部
６８：予測上発量決定部
６９：補水量決定部
７０：ポンプ制御部
【図１】
2009186819.tif 000003
【図２】
2009186819.tif 000004
【図３】
2009186819.tif 000005
【図４】
2009186819.tif 000006
【図５】
2009186819.tif 000007
【図６】
2009186819.tif 000008
【図７】
2009186819.tif 000009
【図８】
2009186819.tif 000010
【図９】
2009186819.tif 000011
【図１０】
2009186819.tif 000012
【図１１】
2009186819.tif 000013